(57)【特許請求の範囲】
【請求項１】
レンズ鏡筒装置の組み立て方法において、
円筒形状であって、該円筒形状内部にレンズを保持する光軸方向に突き出た突起状レンズ支持部を有し、該突起状レンズ支持部に、上記レンズの外周部と嵌合する内周面と上記レンズの光軸方向の位置を規制するレンズ突き当て面とレンズ保持枠を光軸方向に規制するストッパとを有し、該内周面と上記レンズの外周部とを嵌合することにより上記レンズの径方向の位置を規制し、かつ、該レンズ突き当て面と上記レンズの光軸方向の面とを当接することにより互いの光軸方向の位置を規制したレンズを支持する治具に、
上記治具の内周又は外周と嵌合する外周又は内周と、上記レンズを保持する光軸方向に突き出た突起状レンズ保持部とを有し、上記冶具に保持された上記レンズに対し、該突起状レンズ保持部の内周と上記レンズの外周との間及び光軸方向において該レンズ面との間に隙間を有して浮いた状態で上記ストッパに当接させるように上記レンズ保持枠を嵌合させ、
上記突起状レンズ保持部の内周と上記レンズの外周との間の隙間に接着剤を充填し上記レンズを上記レンズ保持枠に該接着剤を介して固定し、該接着固定の後、上記冶具を抜き取り、上記レンズ鏡筒装置を組み立てることを特徴とするレンズ鏡筒装置の組み立て方法。
【請求項２】
レンズ鏡筒装置において、
円筒形状であって、該円筒形状内部にレンズを保持する光軸方向に突き出た突起状レンズ支持部を有し、該突起状レンズ支持部に、上記レンズの外周部と嵌合する内周面と上記レンズの光軸方向の位置を規制するレンズ突き当て面とレンズ保持枠を光軸方向に規制するストッパとを有し、該内周面と上記レンズの外周部とを嵌合することにより上記レンズの径方向の位置を規制し、かつ、該レンズ突き当て面と上記レンズの光軸方向の面とを当接することにより互いの光軸方向の位置を規制したレンズを支持する治具に、
上記治具の内周又は外周と嵌合する外周又は内周と、上記レンズを保持する光軸方向に突き出た突起状レンズ保持部とを有し、上記冶具に保持された上記レンズに対し、該突起状レンズ保持部の内周と上記レンズの外周との間及び光軸方向において該レンズ面との間に隙間を有して浮いた状態で上記ストッパに当接させるように上記レンズ保持枠を嵌合させ、
上記突起状レンズ保持部の内周と上記レンズの外周との間の隙間に接着剤を充填し上記レンズを上記レンズ保持枠に該接着剤を介して固定し、該接着固定の後、上記冶具を抜き取ることにより、組み立てられたことを特徴とするレンズ鏡筒装置。
【発明の詳細な説明】
【０００１】
【発明の属する技術分野】
本発明は、レンズ保持枠を有するレンズ鏡筒装置の組み立て方法、および、上記組み立て方法によるレンズ鏡筒装置の構造に関する。
【０００２】
【従来の技術】
従来から容易に高精度の組み立てができ、しかも、コスト低減も可能であるレンズ鏡筒に関して各種のものが提案されている。
【０００３】
例えば、特開平５−２５７０４９号公報に開示のレンズ鏡筒は、レンズ（または、レンズ群）およびレンズ保持枠を組み付けるに際して、まず、レンズを組み付け治具により固定枠に対する基準位置に固定保持する。３分割され、各々カムフォロアを有するレンズ保持枠を上記組み付け治具でガイドさせながら、３方向から上記レンズの外周部分に挿入する。その状態で接着剤を用いて上記レンズとレンズ保持枠を固着する。上記組み付け治具を抜き取り、組み付けを終わる。上記レンズ保持枠を３分割する理由は、レンズ保持枠の型抜きを単純化して多数個取りを可能にするためである。
【０００４】
【発明が解決しようとする課題】
ところが、上述の特開平５−２５７０４９号公報に示す従来のレンズ鏡筒では、レンズ保持枠が３分割されており、組み立て作業がやりにくく、また、構成部品点数が増え、生産効率が必ずしも良いとはいえない。また、各レンズを直接的にレンズ保持枠に固定するので、上記レンズ保持枠の寸法誤差が含まれた状態で組み立てられていた。
【０００５】
本発明は、上述の不具合を解決するためになされたものであって、複数のレンズ（または、レンズ群）を有するレンズ鏡筒装置を精度のよい状態でしかも容易に組み立てを行うことが可能であり、組み立て工数も少ないレンズ鏡筒装置の組み立て方法を提供することを１つの目的とし、さらに、高精度であり、組み立て工数も少なく、容易に組み立てを行うことができるレンズ鏡筒装置を提供することを他の１つの目的とする。
【０００６】
【課題を解決するための手段】
本発明のレンズ鏡筒装置の組み立て方法は、レンズ鏡筒装置の組み立て方法において、円筒形状であって、該円筒形状内部にレンズを保持する光軸方向に突き出た突起状レンズ支持部を有し、該突起状レンズ支持部に、上記レンズの外周部と嵌合する内周面と上記レンズの光軸方向の位置を規制するレンズ突き当て面とレンズ保持枠を光軸方向に規制するストッパとを有し、該内周面と上記レンズの外周部とを嵌合することにより上記レンズの径方向の位置を規制し、かつ、該レンズ突き当て面と上記レンズの光軸方向の面とを当接することにより互いの光軸方向の位置を規制したレンズを支持する治具に、上記治具の内周又は外周と嵌合する外周又は内周と、上記レンズを保持する光軸方向に突き出た突起状レンズ保持部とを有し、上記冶具に保持された上記レンズに対し、該突起状レンズ保持部の内周と上記レンズの外周との間及び光軸方向において該レンズ面との間に隙間を有して浮いた状態で上記ストッパに当接させるように上記レンズ保持枠を嵌合させ、上記突起状レンズ保持部の内周と上記レンズの外周との間の隙間に接着剤を充填し上記レンズを上記レンズ保持枠に該接着剤を介して固定し、該接着固定の後、上記冶具を抜き取り、上記レンズ鏡筒装置を組み立てることを特徴とする。
【０００７】
本発明のレンズ鏡筒装置は、レンズ鏡筒装置において、円筒形状であって、該円筒形状内部にレンズを保持する光軸方向に突き出た突起状レンズ支持部を有し、該突起状レンズ支持部に、上記レンズの外周部と嵌合する内周面と上記レンズの光軸方向の位置を規制するレンズ突き当て面とレンズ保持枠を光軸方向に規制するストッパとを有し、該内周面と上記レンズの外周部とを嵌合することにより上記レンズの径方向の位置を規制し、かつ、該レンズ突き当て面と上記レンズの光軸方向の面とを当接することにより互いの光軸方向の位置を規制したレンズを支持する治具に、上記治具の内周又は外周と嵌合する外周又は内周と、上記レンズを保持する光軸方向に突き出た突起状レンズ保持部とを有し、上記冶具に保持された上記レンズに対し、該突起状レンズ保持部の内周と上記レンズの外周との間及び光軸方向において該レンズ面との間に隙間を有して浮いた状態で上記ストッパに当接させるように上記レンズ保持枠を嵌合させ、上記突起状レンズ保持部の内周と上記レンズの外周との間の隙間に接着剤を充填し上記レンズを上記レンズ保持枠に該接着剤を介して固定し、該接着固定の後、上記冶具を抜き取ることにより、組み立てられたことを特徴とする。
【００２４】
【発明の実施の形態】
以下、本発明の実施の形態について図を用いて説明する。
図１は、第一の実施形態のレンズ鏡筒装置としてのレンズ鏡筒の分解斜視図である。図２は、ガイド軸位置決め用の第一の組み立て治具を用いて上記レンズ鏡筒装置のガイド軸とフォーカス保持枠とを支持した状態を示す斜視図である。図３は、上記レンズ鏡筒のレンズ・保持枠位置決め用の第二の組み立て治具の斜視図であり、図４は、上記レンズ鏡筒のレンズ・保持枠位置決め用の第三の組み立て治具の斜視図である。図５は、上記レンズ・保持枠位置決め用の第二，第三の組み立て治具を用いた上記レンズ鏡筒の組み立て状態を示す縦断面図である。図６は、上記レンズ鏡筒におけるレンズ群とレンズ保持枠の接着部分の形状を示す拡大断面図であって、図６（Ａ）がレンズよりもレンズ保持枠の方が突出している場合を示し、図６（Ｂ）がレンズ保持枠よりもレンズの方が突出している場合を示し、図６（Ｃ）がレンズ保持枠とレンズが略同一面にある場合を示している。図７は、上記レンズ鏡筒組み立て後の縦断面図を示す。図８は、図７のＡ−Ａ断面図であって、上記レンズ鏡筒におけるガイド軸周りの部分断面を示す。図９は、上記レンズ鏡筒に適用されるカムリングのカム溝の展開図である。
【００２５】
なお、以下の説明において、レンズ鏡筒の被写体側を前方側とし、結像側を後方側とする。また、カムリング等の回動方向は、前方側（被写体側）から見た回動方向で示す。
【００２６】
本実施形態のレンズ鏡筒１は、ズームカメラに内蔵されるか、あるいは、交換式ズームレンズ鏡筒として適用される。そして、主に図１等に示すように回動規制され、進退可能に支持されるフロートキー３（図７参照）と、フロートキー３とともに進退可能であって、かつ、回動可能に支持されるカムリング（カム筒）２と、カムリング２により相対的に進退駆動されるレンズ保持枠（移動枠）の１群枠４と、1群枠４に保持される１群レンズ（光学素子）２１と、カムリング２により相対的に進退駆動されるフォーカス保持枠（移動枠）６と、図示しないフォーカス駆動機構によりフォーカス保持枠６に対して進退駆動されるレンズ保持枠（移動枠）であるフォーカス枠５と、フォーカス枠５に保持されるフォーカスレンズであって、２群レンズ（光学素子）を構成する２群レンズ（前）２２，２群レンズ（中）２３，２群レンズ（後）２４と、フォーカス枠５に組み込まれるシャッタ１５とを有している。さらに、上記レンズ鏡筒１は、カムリング２により相対的に進退駆動されるレンズ保持枠（移動枠）の３群枠７と、３群枠７に保持される３群レンズ（光学素子）を構成する３群レンズ（前）２５，３群レンズ（後）２６とを有している。またさらに、上記上記レンズ鏡筒１は、フォーカス保持枠６に固着され、１群枠４と３群枠７を摺動自在に支持する棒状案内部材であるガイド軸８およびガイド軸９と、１群枠４と３群枠７に支持され、スリーブ１０を介してフォーカス枠５を摺動自在に支持する棒状案内部材であるガイド軸１１とを有している。
【００２７】
カムリング２には、図９の展開図にも示すように内周に長手方向が回転方向に沿う３列、３組のカム溝が設けられている。
上記３組のカム溝は、後述するカムフォロア４ｉが摺動自在に嵌入するカム溝（第一のカム溝）２ａと、後述するカムフォロア６ｉが摺動自在に嵌入するカム溝（第二のカム溝）２ｂと、後述するカムフォロア７ｉが摺動自在に嵌入するカム溝（第三のカム溝）２ｃと、カムフォロアの組み込み時に利用する連結溝２ｅおよびカムフォロア導入溝２ｄとからなる。
【００２８】
上記カムリング２は、沈胴位置から撮影可能位置へ繰り出され、さらに、図示しないズーム駆動部を介してレンズ鏡筒の沈胴位置θｃからワイド端位置θｗへ回動駆動される。ズーミング操作時には、ワイド端位置θｗとテレ端位置θｔ間を回動駆動される（図９参照）。上記回動駆動に伴い、上記カム溝を介して上記カムフォロアが駆動され、上記各レンズ保持枠が進退駆動される。なお、位置（回動角）θで示される上記カムリング２の位置は、上記カムフォロア２ａ，２ｂ，２ｃのカムフォロア列（固定）に対する相対回動位置で示される。
【００２９】
上記１群枠４には、外周部４ｊと、光軸に向けて突き出た爪部４ｇを持つ後方突起状レンズ保持部４ａと、枠部上下２箇所に配設され、光軸方向に延びる後方突起状ボス部４ｂ，４ｃと、ガイド軸１１の先端部が嵌入する軸穴４ｆと、外周部に固着され、カム溝２ａに嵌入可能な３つのカムフォロア４ｉとが設けられている。
【００３０】
上記突起状レンズ保持部４ａの内周寸法は、装着される１群レンズ２１の外径に対して隙間のある遊嵌寸法を有しており、関連する枠，レンズ部材の寸法のばらつきを吸収し、かつ、接着剤が充填可能な隙間を与える寸法とする。また、爪部４ｇの位置と１群レンズ２１の面の間にも光軸Ｏ方向の隙間が設けられており、その隙間は、光軸Ｏ方向の関連する枠，レンズ部材の寸法のばらつきを吸収し、かつ、接着剤が充填可能な隙間とする。
【００３１】
上記ボス部４ｂには、ガイド軸８が精密嵌合状態で摺動自在に嵌入する軸穴４ｄが設けられている。一方、上記ボス部４ｃには、ガイド軸９が光軸Ｏ周りに精密嵌合状態で摺動自在に嵌合する長穴４ｅが設けられている。また、上記軸穴４ｆは、ガイド軸１１が精密嵌合状態で嵌入する比較的短い長さの軸穴とする。
【００３２】
なお、上述、または、後述する精密嵌合状態とは、該当穴部と軸部がガタのない状態、あるいは、極めてガタの少ない状態で嵌入する状態をいう。
【００３３】
上記フォーカス保持枠６には、枠部上下に配設され、ガイド軸８，９が遊嵌（隙間のある嵌合）する軸穴６ａ，６ｂと、軸穴６ａの側方位置にガイド軸１１が貫通する逃げ穴６ｃと、外周部に固着され、カム溝２ｂに嵌入可能な３つのカムフォロア６ｉと、嵌合内径部６ｅとが設けられている。さらに、フォーカス保持枠６には、図示しないが後述するフォーカス枠５をフォーカシング駆動するための送りネジ機構等からなるフォーカス駆動部が別途に組み込まれるものとする。
【００３４】
上記軸穴６ａ，６ｂには、後述するガイド軸位置決め用の組み立て治具３１を用いて位置決めした状態でガイド軸８，９が接着固着される。上記逃げ穴６ｃは、ガイド軸１１とともにスリーブ１０も進入可能な逃げ穴である。上記嵌合内径部６ｅは、後述するフォーカス枠５の嵌合外径部５ｆに滑合状態（わずかな隙間状態）で嵌合可能である。
【００３５】
上記フォーカス枠５には、前方内周部に３分割されたレンズ保持部５ｄおよび治具逃げ部５ｇと、中央内周部にシャッタ組み込み用凹部５ｉおよびレンズ保持部５ｊと、後方側にて光軸方向に延びた３つの突起状レンズ保持部５ｅと、後方側外周にフォーカス保持枠との嵌合外径部５ｆとが設けられる。さらに、上記フォーカス枠５には、枠部上方に配設されるガイド軸８の逃げ部５ｈおよび上記逃げ部５ｈの側方位置に配設されるスリーブ嵌合穴５ａと、枠部下方に配設され、１群枠４のボス部４ｃに精密嵌合状態で嵌合および摺接可能なＵ溝５ｃとが設けられる。
【００３６】
レンズ保持部５ｄおよびレンズ保持部５ｅの内周寸法は、それぞれ装着される２群レンズ（前）２２，２群レンズ（後）２４の外径に対して隙間のある遊嵌寸法を有しており、関連する枠，レンズ部材の寸法のばらつきを吸収し、かつ、接着剤が充填可能な十分な隙間を与えるものとする。
【００３７】
なお、レンズ保持部５ｄの光軸Ｏ方向の後方には、装着される２群レンズ（前）２２のレンズ面に当接するレンズ当て付け面５ｋが設けられている。また、レンズ保持部５ｅの光軸Ｏ方向の前方には、装着される２群レンズ（後）２４のレンズ面が当接するレンズ当て付け面５ｍが設けられている。
【００３８】
上記レンズ保持部５ｊは、２群レンズ（中）２３の外径が精密嵌合する内周を有しており、直接、上記２群レンズ（中）２３が接着固定される。
【００３９】
上記スリーブ嵌合穴５ａの直径寸法は、スリーブ１０が遊嵌状態で嵌入可能であり、関連する枠，レンズ部材の寸法のばらつきを吸収し、かつ、接着剤による接着に十分な隙間を与える寸法とする。
【００４０】
上記３群枠７には、前方端面部７ｈと、外周部７ｇと、前方内周部に３分割されたレンズ保持部７ｄおよび治具逃げ部７ｅと、枠部上方にガイド軸８が精密嵌合状態で摺動自在に嵌入する軸穴７ａと、枠部下方にガイド軸９が光軸Ｏ周りに精密嵌合状態で摺動自在に嵌合する長穴７ｂと、軸穴７ａの側方位置にガイド軸１１が精密嵌合する比較的に短い長さの軸穴７ｃとが設けられている。
【００４１】
またさらに、３群枠７には、外周部７ｇ上に固着され、カム溝２ｃに嵌入可能な３つのカムフォロア７ｉと、外周部７ｇの後方フランジ部上に配設される３つの直進ガイド用突起７ｆとが設けられる。
【００４２】
上記レンズ保持部７ｄの内周寸法は、装着される３群レンズ（前）２５の嵌合部外径に対して隙間のある遊嵌寸法を有しており、関連する枠，レンズ部材の寸法のばらつきを吸収し、かつ、接着剤による接着に十分な隙間を与える寸法とする。
【００４３】
また、上記レンズ保持部７ｄの内側端面７ｋと装着される３群レンズ（前）２５のフランジ面２５ａとの間には、光軸方向に隙間が設けられており、その隙間は、関連する枠，レンズ部材の寸法のばらつきを吸収し、かつ、接着剤による接着に十分な隙間を与える寸法とする。
【００４４】
上述した構成を有する本実施形態のレンズ鏡筒１を組み立てるには、図２に示すガイド軸位置決め用の第一の組み立て治具３１と、図３，４に示すレンズ・保持枠位置決め用の第二の組み立て治具３２，第三の組み立て治具３３を用いる。
【００４５】
上記ガイド軸位置決め用の第一の組み立て治具３１は、図２に示すように外周部上下にガイド軸８，９を所定の離間距離状態で光軸Ｏに平行な状態で保持するためのＶ溝３１ａ，３１ｂと、フォーカス保持枠６の嵌合内径部６ｅに精密嵌合可能な位置出し外径部３１ｃとが設けられている。
【００４６】
上記レンズ・保持枠位置決め用の第二の組み立て治具３２は、図３に示すように壁部（後方壁面を３２ｇとする）により前後が仕切られる円筒形状で、前方内周面３２ａと後方内周面３２ｂを有している。上記前方内周面３２ａにはフォーカス保持枠６の光軸Ｏ方向位置決め用のストッパ（図示せず）が設けられている。
【００４７】
また、上記壁部には、前面側に３分割され、光軸方向に突き出た突起状レンズ支持部（内周面）３２ｅとその支持部後方にレンズ突き当て面３２ｆが設けられ、さらに、後面側に３分割され、光軸方向に突き出た突起状レンズ支持部（内周面）３２ｈとその内周部前方にレンズ突き当て面３２ｉが設けられる。さらに、上記壁部に逃げ穴３２ｃ，３２ｄが設けられている。
【００４８】
上記前方内周面３２ａは、１群枠４の外周部４ｊおよび後述する組み立て治具３３の外周面３３ａが精密嵌合可能な内周面である。上記後方内周面３２ｂは、３群枠７の外周部７ｇが精密嵌合可能な内周面である。
【００４９】
上記レンズ支持部（内周面）３２ｅ，３２ｈは、それぞれ２群レンズ（後）２４，３群レンズ（前）２５の外周が精密嵌合可能な内周面とする。
【００５０】
上記レンズ・保持枠位置決め用の第二の組み立て治具３３は、図４に示すように外周面３３ａを有する略円板形状の治具であり、前面側に３分割され、光軸方向に突き出た突起状レンズ支持部３３ｂとその内周部後方にレンズ突き当て面３３ｃが設けられ、後面側に３分割され、光軸方向に突き出た突起状レンズ支持部（内周面）３３ｄとその内周部後方にレンズ突き当て面３３ｅが設けられ、さらに、外枠部上，下に逃げ部３３ｆが設けられている。
【００５１】
上記レンズ支持部３３ｂ，３３ｄの内周面は、それぞれ１群レンズ２１，２群レンズ（前）２２の外周が精密嵌合可能な内周面とする。
【００５２】
レンズ鏡筒１の組み立てに際して、まず、フォーカス保持枠６にガイド軸８，９を固着するために、図２に示すように第一の組み立て治具３１を適用し、枠位置出し外径部３１ｃをフォーカス保持枠６の嵌合内周部６ｅに嵌合させる。そして、フォーカス保持枠６の軸穴６ａ，６ｂに挿通したガイド軸８，９を組み立て治具３１のＶ溝３１ａ，３１ｂに固定する。上記軸穴６ａ，６ｂは、ガイド軸８，９に対してそれぞれ隙間のある状態であるので、ガイド軸８，９は、所定の軸間距離と光軸方向所定位置に、かつ、光軸Ｏと平行な状態に保たれる。
【００５３】
上記支持状態にてフォーカス保持枠６の接着剤注入穴６ｆ，６ｇから接着剤（固定材）を注入してガイド軸８，９を軸穴６ａ，６ｂに固着する。
【００５４】
次に、ガイド軸８，９が取り付けられたフォーカス保持枠６を中心に各レンズ鏡筒構成部材を組み付けるために上記組み立て治具３２，３３を用いる。なお、組み付け時、図３に示す組み立て治具３２は、図１のレンズ鏡筒１に対して、挿入箇所ｂ1 とｂ2 の間に挿入され、図４に示す組み立て治具３３は、図１のレンズ鏡筒１に対して、挿入箇所ａ1 とａ2 の間に挿入されるものとする。
【００５５】
まず、図５の縦断面図に示すように組み立て治具３２には、そのレンズ支持部３２ｅの内周部に２群レンズ（後）２４の外周面を嵌合させ、レンズ突き当て面３２ｆに２群レンズ面を当接した状態とする。
【００５６】
一方、組み立て治具３３には、そのレンズ支持部３３ｄの内周面に２群レンズ（前）２２の外周面を嵌合させ、上記レンズ面をレンズ突き当て面３３ｅに当接させる。
【００５７】
上記レンズが装着された組み立て治具３２に対して前記ガイド軸が固着されたフォーカス保持枠６を前方側から治具のストッパ（図示せず）に当接する光軸方向基準位置まで挿入する。さらに、２群レンズ（中）２３が接着固定されたフォーカス枠５の嵌合外径部５ｆを上記フォーカス保持枠６の嵌合内径部６ｅに嵌合させ、フォーカス枠５のレンズ当て付け面５ｍに２群レンズ（後）２４の前方レンズ面と当接するまで挿入する。このとき、フォーカス保持枠６は、上記治具のストッパとは、当然、光軸方向で浮いた状態、すなわち、隙間のある状態となるように上記ストッパ位置は、設定されている。
【００５８】
そして、ガイド軸８，９をフォーカス枠５の逃げ部５ｈ，Ｕ溝５ｃに挿通させる。また、スリーブ１０をフォーカス枠５のスリーブ嵌入穴５ａに嵌入し、フォーカス保持枠６の逃げ穴６ｃに挿通させた状態で取り付ける。
【００５９】
その後、レンズが装着された上記組み立て治具３３を組み立て治具３２の前方内周面３２ａに嵌入させ、２群レンズ（前）２２の後方側レンズ面をフォーカス枠５のレンズ当て付け面５ｋと当接するまで挿入する。このとき、組み立て治具３３のレンズ支持部３３ｄの突起部は、フォーカス枠５の逃げ部５ｇにはまり込む。
【００６０】
そこで、１群枠４を組み込むが、その組み込みの前に、１群枠４の軸穴４ｆにガイド軸１１を嵌合、挿入させ、ガイド軸先端部のＥリング溝１１ａにＥリング１２をはめ込む（図８参照）。このＥリング１２によりガイド軸１１は、１群枠４と共に進退移動することになる。
【００６１】
上記ガイド軸１１付きの１群枠４を組み立て治具３３の前方であって、組み立て治具３２のストッパ（図示せず）に当接する光軸方向基準位置まで挿入する。このとき、同時にガイド軸８を１群枠４の軸穴４ｄに嵌入させ、ガイド軸９を１群枠４の長穴４ｅに嵌入させる。さらに、１群枠４のボス部４ｃをフォーカス枠５のＵ溝５ｃに嵌入させる。ガイド軸１１は、フォーカス枠５上のスリーブ１０を嵌入後、フォーカス保持枠６の逃げ穴６ｃを挿通した状態に保持される。
【００６２】
その後、１群レンズ２１を１群枠４に挿入すると、１群レンズ２１は、１群枠４に対して浮いた状態で治具３３のレンズ突き当て面３３ｃに当接する。上記１群レンズ２１の外径は、レンズ支持部３３ｂで精密嵌合して治具３３に支持される。
【００６３】
続いて、組み立て治具３２の後方内周面３２ｂに３群枠７を嵌合させて端面部７ｈが壁面部３２ｇに当接する光軸方向基準位置まで挿入する。そのとき、ガイド軸８，９，１１をそれぞれ軸穴７ａ，長穴７ｂ，軸穴７ｃに嵌入させる。また、治具３２のレンズ支持部３２ｈの突起部は、３群枠７の逃げ部７ｅにはまり込む。
【００６４】
上記３群枠７の挿入状態で、３群レンズ（前）２５を組み立て治具３２のレンズ支持部３２ｈの内周部に嵌入させ、そのレンズ端面をレンズ突き当て面３２ｉに当接させて位置決めする。
【００６５】
上述した組み立て治具３２，３３に各レンズ鏡筒構成部材をセットした状態では、フォーカス保持枠６に固着支持されているガイド軸８，９により各嵌合軸穴を介して１群枠４，３群枠７は、光軸Ｏ位置と光軸Ｏ方向の位置に関して所定の精度で位置決めされる（図７参照）。さらに、１群枠４のボス部４ｃを介してフォーカス枠５の光軸Ｏ回りの所定の精度の回転位相位置決めも行われる（図７参照）。
【００６６】
一方、１群レンズ２１，２群レンズ（前）２２，２群レンズ（後）２４，３群レンズ（前）２５は、組み立て治具３２，３３によって各３分割のレンズ支持部内周面に精密嵌合の芯出し状態で嵌入し、かつ、当て付き部に当接して光軸Ｏ方向の位置決めがなされる。
【００６７】
上述したように組み立て治具３２によって１群枠４，３群枠７の外周部の光軸Ｏ位置および光軸Ｏ方向の位置も正確に位置決めされることから、上記各レンズ群は、上記枠部材の外周部を基準にして相対的に正確な位置にて浮いた状態で支持されることになる。
【００６８】
なお、１群枠４，３群枠７の外周は、理論上、治具３２の内周と嵌合させる寸法として精度を落としたゆるみ嵌め寸法であってもよい。なぜならば、ガイド軸８，９でその位置精度がすでに決定されているからである。
【００６９】
そして、１群枠４，フォーカス枠５，３群枠７の各３分割のレンズ保持部は、上記組み立て治具３２，３３の対応する各３分割のレンズ支持部内周面の円周上に沿った配設状態に位置しており、各レンズ外周に対して、調整や接着に適切な隙間のある状態で位置することになる。
【００７０】
さらに、上記各レンズの光軸Ｏ方向のレンズ面に対しても１群枠４の爪部４ｇや３群枠７のレンズ保持部端面７ｋとレンズのフランジ面（３群レンズ２５のフランジ面２５ａ）とは、光軸Ｏ方向位置調整や接着に適切な隙間のある状態となっている。
【００７１】
また、フォーカス枠５にガタ状態で支持されるスリーブ１０を介して嵌入、挿通するガイド軸１１は、上述したようにガイド軸８，９によって位置決めされた１群枠４，３群枠７の軸穴位置にばらつきがあったとしてもその軸穴位置に倣って適正な状態で保持される。
【００７２】
なお、図３，４に示した上記組み立て治具３２，３３の各レンズ支持部には、示されていないが、上記レンズ支持部に取り付けられた各レンズの位置ずれや脱落を防止するための板バネ式レンズ保持機構等を組み込むと、さらに、組み立ての作業性が向上する。
【００７３】
上述の組み立て治具３２，３３で位置決めセット状態のもとでレンズ鏡筒１のスリーブ，レンズは、接着剤（固定材）により接着固定される。
【００７４】
まず、スリーブ１１の接着固定は、フォーカス枠５の外周部に設けられ、スリーブ嵌合穴５ａに通じる接着剤注入穴５ｂから接着剤を注入して固定する。
【００７５】
また、１群レンズ２１の接着固定は、１群枠４の外周に設けられる開口穴（図示せず）から、レンズ保持部４ａと爪部４ｇと１群レンズ２１の外径とで形成されるレンズ保持部隙間Ｓ1 に接着剤を注入、充填して固定する（図５参照）。上記接着剤の注入に代えて予め接着剤を１群枠４のレンズ保持部４ａに塗布しておき、接着するようにしてもよい。
【００７６】
２群レンズ（前）２２の接着固定は、組み立て治具３２の外周に設けられる開口穴（図示せず）から、レンズ保持部５ｄとレンズ当て付け面５ｋと２群レンズ（前）２２の外径とから形成されるレンズ保持部隙間Ｓ2 に接着剤を注入し、充填して固定する。上記接着剤の注入に代えて予め接着剤をフォーカス枠５のレンズ保持部５ｄに塗布しておき、接着するようにしてもよい。
【００７７】
２群レンズ（後）２４の接着固定は、組み立て治具３２の外周に設けられる開口穴（図示せず）から、レンズ保持部５ｅとレンズ当て付け面５ｍと２群レンズ（後）２４の外径とから形成されるレンズ保持部隙間Ｓ3 に接着剤を注入し、充填して固定する。上記接着剤の注入に代えて予め接着剤をフォーカス枠５のレンズ保持部５ｅに塗布しておき、接着するようにしてもよい。
【００７８】
３群レンズ（前）２５の接着固定は、組み立て治具３２の外周に設けられる開口穴（図示せず）から、レンズ保持部７ｄと内側端面７ｋと３群レンズ（前）２５の外径とから形成されるレンズ保持部隙間Ｓ4 に接着剤を注入し、充填して固定する。上記接着剤の注入に代えて予め接着剤を３群枠７のレンズ保持部７ｄに塗布しておき、接着するようにしてもよい。
【００７９】
ここで、３群レンズ（後）２６を上記３群レンズ（前）２５の後方側面上に当接させ、３群枠７に形成されている内周面７ｍと３群レンズ（後）２６の外径とで形成される隙間に接着剤を充填して接着固定する。
【００８０】
なお、３群レンズ（後）２６を組み付けるとき、１群レンズ２１と２群レンズ２２，２３，２４と３群レンズ（前）２５の全体と共に上記３群レンズ（後）２６の芯の状態を観察，調整しながらに組み付けてもよい。あるいは、上記３群レンズ（後）２６のない状態の３群レンズ（前）２５と３群枠７との組み立て部品に対して上記３群レンズ（後）２６を芯出し状態を観察調整しながら組み付け（接着）てもよい。
【００８１】
なお、上記レンズ保持部に接着剤を充填した場合、レンズ表面に接着剤が流れ出して光学性能を損なうおそれがある。そこで、図６（Ａ），（Ｂ），（Ｃ）に示すようにレンズ端面、および／または、レンズ保持部端面に面取り部分を設け、接着剤の流れ出しを防止する。
【００８２】
すなわち、レンズよりもレンズ保持部の方が突出している状態では、例えば、図６（Ａ）に示すように、３群枠７のレンズ保持部７ｄの端面７ｈが３群レンズ（前）２５よりも突出しているので、３群レンズ２５の端面に面取り部２５ａを設ける。この形状を採用することにより隙間Ｓ4 に充填された接着剤４４は、隙間Ｓ4 からレンズ表面側には殆ど流出しない。
【００８３】
また、レンズ保持部よりもレンズの方が突出している状態では、例えば、図６（Ｂ）に示すようにフォーカス枠５のレンズ保持部５ｄの端面よりも２群レンズ（前）２２が突出しているので、レンズ保持部５ｄの端面に面取り部５ｎを設ける。この形状を採用することにより隙間Ｓ2 に充填された接着剤４２は、隙間Ｓ2 からレンズ表面側には殆ど流出しない。
【００８４】
また、レンズ保持部とレンズが同一面にある状態は、上記実施形態のレンズ鏡筒１には存在しない状態であるが、例えば、図６（Ｃ）に示すようにレンズ枠１３のレンズ保持部１３ｄの端面とレンズ２７が同一平面にあるので、レンズ保持部１３ｄの端面とレンズ２７の外周の双方にそれぞれ面取り部１３ａおよび２７ａを設ける。この形状を採用することにより隙間Ｓ5 に充填された接着剤４５は、隙間Ｓ5 からレンズ表面側には殆ど流出しない。
【００８５】
さて、図５に示した組み立て治具３２，３３によるガイド軸，レンズ等の組み込み、接着が終了すると、上記治具３２，３３をレンズ鏡筒１から抜き取る。そのとき、３群枠７を組み立て治具３２から後方に抜き取り、１群枠４をガイド軸１１と共に前方側から抜き取る。そして、組み立て治具３３も前方側から抜きとた後、フォーカス枠５とフォーカス保持枠６をガイド軸８，９と共に組み立て治具３２から抜き取る。上記組み立て治具３２，３３を抜き取った状態でのレンズ鏡筒１の縦断面図を図７に示す。
なお、壁部（壁面３２ｇ）を持つ組み立て治具３２を使用しても上述のようにしてレンズ鏡筒１の抜き取り作業が可能となるのは、各ガイド軸の支持構造による。すなわち、ガイド軸１１が１群枠４側に支持され、他の枠部材に対しては、スライド可能に支持され、さらに、ガイド軸８，９が中央に配設されるフォーカス保持枠６にのみ固着支持され、他の枠部材とスライド可能に支持される構造を採用しているからである。
【００８６】
上記治具による組み付けが終了したレンズ鏡筒１には、カムリング２を組み込み、１群枠４，フォーカス保持枠６，３群枠７の各３つのカムフォロア４ｉ，６ｉ，７ｉをカムリング２の３組のカム溝２ａ，２ｂ，２ｃにそれぞれ嵌入させる必要がある。
【００８７】
カムリング２は、カムフォロアに対する回動位置で示される沈胴位置θC からテレ端位置θT の範囲をズーム駆動時に回動駆動されるが、図９に示すように一方の上記テレ端位置θT よりさらに外側の回動位置である導入位置θA にカムフォロア導入溝２ｄが設けられ、さらに、他方の上記沈胴位置θC よりさらに外側の回動位置である切り換え位置θB にカムフォロア移動のための連結溝２ｅが設けられている。そして、上記各カム溝は、上記カムフォロワ導入溝２ｄと連結溝ｅに連結した状態で溝の長手方向が光軸Ｏ回りの周方向に沿う状態で設けられ、被写体側から上記カム溝２ａ，カム溝２ｂ，カム溝２ｃの順で配置されている。
【００８８】
なお、上記カムフォロア導入溝２ｄは、カム溝２ｂとカム溝２ｃのテレ側端部に連結された状態で設けられた光軸Ｏ方向の溝であり、後方側に挿入口が開放されている。また、連結溝２ｅは、カム溝２ａとカム溝２ｂの沈胴側端部に連結された光軸Ｏ方向の溝である。
【００８９】
上記カムフォロワを上記カム溝へ嵌入させるには、上記カムフォロア導入溝２ｄ，連結溝２ｅを利用して行う。
まず、図７に示す１群枠４のカムフォロア４ｉをカムリング挿入可能位置に引き出し、カムリング２を導入位置θA まで回動させてレンズ鏡筒１に挿入すると、カムフォロア４ｉは、カムフォロア導入溝２ｄに嵌入する。そして、カムフォロア４ｉがカム溝２ｂ端部位置に到達した状態でカムリング２を切り換え位置θB まで時計回りに回動させると、上記カムフォロア４ｉは、カム溝２ｂを通過して、連結溝２ｅの位置に到達する。そこで、カムリング２をレンズ鏡筒後方側に押し込み、カムフォロア４ｉを前方側のカム溝２ａ端部位置まで送り込む。そして、カムリング２を反時計回りに回動させて導入位置θA に戻す。
【００９０】
次に、フォーカス保持枠６，３群枠７のカムフォロア６ｉ，７ｉをカムリング挿入可能位置にセットし、カムリング２をさらにレンズ鏡筒後方側に押し込むと、カムフォロア６ｉ，７ｉは、カムフォロア導入溝２ｄに嵌入する。そして、カムフォロア６ｉがカム溝２ｂ位置に、また、カムフォロア７ｉがカム溝２ｃ位置にそれぞれ到達した状態でカムリング２を時計回りに回動させる。上記カムフォロア６ｉはカム溝２ｂに、上記カムフォロア７ｉはカム溝２ｃに嵌入する。なお、カムフォロア４ｉは、そのままカム溝２ａに嵌入した状態を保ち、各カムフォロアのカムリング２のカム溝への嵌入が終了する。
【００９１】
その後、３群枠７のガイド突起７ｆをフロートキー３に設けられる直進ガイド溝３ａに嵌入させて、３群枠７をフロートキー３により回転規制状態で進退可能に支持された状態とし、本実施形態のレンズ鏡筒１の組み立てが終了する。
【００９２】
次に、上述のように組み立てられたレンズ鏡筒１のズームカメラ組み込み状態での進退動作について説明する。
上記レンズ鏡筒１が沈胴状態にある場合、カムリング２は、図９に示す沈胴位置θC に回動し、さらに、光軸Ｏ方向の沈胴位置に繰り込まれている。
【００９３】
そこで、カムリング２を光軸Ｏ方向に沿って撮影可能位置まで繰り出し、ズーム駆動部を介して沈胴領域Ａ1 （図９参照）を反時計回りにワイド端位置θW まで回動させる。この回動により各カムフォロア４ｉ，６ｉ，７ｉがカム溝２ａ，２ｂ，２ｃによって相対的に進退駆動され、１群枠４，フォーカス保持枠６，３群枠７は、撮影可能なズームワイド端位置に相対移動する。
【００９４】
さらに、カムリング２を上記ズーム駆動部によりテレ端位置θT までのズーム領域Ａ2 （図９参照）をズーム駆動すると、各カムフォロア４ｉ，６ｉ，７ｉがカム溝２ａ，２ｂ，２ｃによって相対的に進退駆動され、１群枠４，フォーカス保持枠６，３群枠７は、ズームワイド端位置からズームテレ端位置に相対移動する。
【００９５】
また、上記レンズ鏡筒１のフォーカシング駆動は、図示しないフォーカス駆動部により上記ズーム駆動されたフォーカス保持枠６に対してフォーカス枠５を光軸Ｏ方向に進退駆動することによって行われる。
【００９６】
以上、説明した第一の実施形態のレンズ鏡筒１および上記レンズ鏡筒の組み立て方法によれば、まず、組み立て治具３２および３３により複数のレンズ群である２群レンズ（後）２４と３群レンズ（前）２５、および、１群レンズ２１と２群レンズ（前）２２を光軸Ｏ方向当て付け状態で、かつ、光軸Ｏ位置に精密嵌合状態で支持し、さらに、複数のレンズ保持枠である１群枠４，３群枠７と組み立て治具３３をも同様に光軸Ｏ方向当て付け状態で、かつ、光軸Ｏ位置に精密嵌合状態で支持する。また、ガイド軸８，９を介して複数のレンズ保持枠であるフォーカス保持枠６とフォーカス枠５とを支持する。一方、組み立て治具にセットしたレンズ群接着固定前の状態では、上記１群枠４等の各レンズ保持枠と、それに保持される１群レンズ２１等の各レンズ群とは、互いに隙間のある状態に位置している。
【００９７】
したがって、上述の支持状態によって上記各枠部材とガイド軸とレンズ群とが所定の高精度での相対位置を保った状態に保たれる。その状態で上記レンズ群を上記レンズ保持枠に接着固定するので、各レンズ群がレンズ保持枠に対してレンズ保持枠の形状のばらつき等の精度に左右されることなく、レンズ保持枠の外径やガイド軸に対するより高精度位置に接着固定することができる。レンズ群位置の固定位置精度のよいレンズ鏡筒を得ることができる。さらに、具体的にいうと、各レンズの芯同士は、互いにずれが少なく、そのレンズ面間隔も極めて高精度に配置される。
【００９８】
なお、上述のレンズ鏡筒１においては、１群枠４と、フォーカス枠５と、フォーカス保持枠６と、３群枠とがガイド軸８，９および１１により進退可能に支持されている。そして、上記ガイド軸８，９は、略中央部に位置するフォーカス保持枠６に固着されており、ガイド軸両端部は、１群枠４と３群枠に対して摺動可能となっている。したがって、従来のガイド軸が片持ちになっている構造のものに比較して、軸の撓みも少なくなり、さらに、占有スペ−スの無駄が少なくなり、レンズ鏡筒の小型化にも効果がある。
【００９９】
また、ガイド軸１１は、１群枠３のボス部４ｃによりガイド軸１１回りの回転が規制されたフォーカス枠５を、スリーブ１０を介して摺動可能に支持する。そして、上記ガイド軸１１は、図８に示すように一端が１群枠４の軸穴４ｆに支持され、他端部が３群枠７の軸穴７ｃにより摺動自在に支持されている。上記軸穴４ｆおよび７ｃの嵌合長さが共に短く、ガイド軸８，９と非平行となることを可能とするようなガイド軸１１の傾きに自由度があることから、１群枠４、あるいは、３群枠７の寸法形状精度がある程度悪くとも、上記枠部材のばらつき，誤差を吸収することができ、１群枠４および３群枠７の動きを阻害することがない。
【０１００】
また、細い軸径の上記ガイド軸１１を適用した場合、フォーカシング駆動時にフォーカス枠５に対してフォーカス保持枠６との間にフォーカス駆動のための高い負荷トルクが作用して上記ガイド軸１１が大きく撓もうとしても、フォーカス枠の嵌合内径部５ｆとフォーカス保持枠の嵌合外径部６ｅが滑合状態で嵌合しているので大きくフォーカス枠５の位置が変動することが防止される。
【０１０１】
次に、本発明の第二の実施形態のレンズ鏡筒（レンズ鏡筒装置）について説明する。
図１０は、上記レンズ鏡筒とその鏡筒の組み立て治具の分解斜視図である。図１１は、上記組み立て治具による上記レンズ鏡筒組み立て状態の縦断面図であり、図１２は、組み立て後、上記組み立て治具を抜き取った状態の上記レンズ鏡筒の縦断面図である。なお、以下の説明においてレンズ鏡筒の被写体側を前方側とし、結像側を後方側とする。
【０１０２】
本実施形態のレンズ鏡筒５０は、レンズ保持枠５１と、複数のレンズ群である１群レンズ５２と２群レンズ５３とからなり、後述する組み立て治具５４を用いて組み立てられる。
【０１０３】
上記レンズ保持枠５１には、前方部にて１群レンズ５２が遊嵌状態で嵌入可能な１群レンズ保持部５１ａと、後方部にて２群レンズ５３が遊嵌状態で嵌入可能な２群レンズ保持部５１ｂと、後述する組み立て治具５４の外径部５４ａに精密嵌合する内周部５１ｃと、１群レンズ保持部５１ａの内周部に配置される溝部５１ｄと、２群レンズ保持部５１ｂの枠上の配置される溝部５１ｆと、上記１群レンズ保持部５１ａおよび２群レンズ保持部５１ｂに外周から貫通する接着剤注入穴５１ｇ，５１ｈとが設けられる。
【０１０４】
上記溝部５１ｄは、２群レンズ保持部５１ｂの枠部分を貫通穴５１ｅで挿通し、１群レンズ保持部５１ａに沿って設けられ、後述する組み立て治具５４の腕部５４ｂが後方から挿通可能である。また、上記溝部５１ｆは、２群レンズ保持部５１ｂの枠部分内周に設けられ、後述する組み立て治具５４の突起部５４ｄが後方から嵌入可能である。
【０１０５】
組み立て治具５４は、レンズ保持枠の内周部５１ｃに対して精密嵌合する外径部５４ａと、先端部に１群レンズ５２の外周部に対して精密嵌合するレンズ支持部（内周部）５４ｃをもつ３つの腕部５４ｂと、２群レンズ５３の外周部に対して精密嵌合するレンズ支持部（内周部）５４ｅをもつ突起部５４ｄとを有している。なお、上記レンズ支持部５４ｃ，５４ｅの光軸方向後方側端部には、それぞれ１群レンズ５２，２群レンズ５３の光軸Ｏ方向の当て付け面５４ｆ，５４ｇが設けられている。
【０１０６】
本実施形態のレンズ鏡筒５０を組み立てる場合、組み立て治具５４のレンズ支持部５４ｅに２群レンズ５３を当て付け面５４ｇに当て付けた状態で取り付ける。上記組み立て治具５４をレンズ保持枠５１の内周部５１ｃに外周部５４ａを後方より嵌入させて装着する。同時に、組み立て治具の腕部５４ｂを溝部５１ｄに挿通させ、また、突起部５４ｄを溝部５１ｆに嵌入させる。
【０１０７】
上記治具５４のセット後、１群レンズ５１を前方から組み立て治具５４の先端のレンズ保持部５４ｃに嵌め込み、当て付け面５４ｆに当て付ける。上記１群レンズ５１，２群レンズ５２の治具取り付け状態でレンズ外径とレンズ保持部間の隙間Ｓ6 ，Ｓ7 に接着剤注入穴５１ｇ，５１ｈから接着剤（固定材）６１，６２を注入し、レンズの接着固定を行う。接着剤硬化後、組み立て治具５４を抜き取り、レンズ鏡筒５０の組み立てが終了する（図１２参照）。
【０１０８】
以上、説明した第二の実施形態のレンズ鏡筒５０および上記レンズ鏡筒の組み立て方法によれば、複数の１群レンズ５２と２群レンズ５３を接着するとき、上記レンズ群が光軸Ｏ方向当て付け状態で、かつ、光軸Ｏ位置にて精密嵌合状態で組み立て治具５４により位置決めされる。一方、レンズ保持枠５１は、上記接着固定前の治具組み込み状態では上記複数の１群レンズ５２と２群レンズ５３を軸心位置、光軸方向位置ともにフリーの状態、すなわち、浮いた状態で保持している。上記位置決め状態で上記各レンズ群が接着固定される。
【０１０９】
したがって、各レンズ群がレンズ保持枠に対してレンズ保持枠の形状のばらつき等の精度に左右されることなく、レンズ保持枠の外径やガイド軸に対して、正確な位置に精度よく接着固定することができ、レンズ群位置の固定位置精度のよいレンズ鏡筒５０を得ることができる。すなわち、レンズ面間隔および互いの芯同士のずれが最小限に抑えられ、高精度のレンズ鏡筒が提供できる。
【０１１０】
上述の実施形態に基づいて、
（１）  レンズと上記レンズを保持するためのレンズ保持枠とを有するレンズ鏡筒装置の組み立て方法において、
上記レンズを支持してレンズ保持枠との相対位置を位置出しする治具を上記レンズ保持枠に対して所定の相対位置に位置させた後に上記レンズを上記レンズ保持枠に固定させることを特徴とするレンズ鏡筒装置の組み立て方法を提案することができる。
【０１１１】
（２）  レンズと、
上記レンズを保持するためのレンズ保持枠と、
を有し、上記レンズを支持してレンズ保持枠との相対位置を位置出しする治具を上記レンズ保持枠に対して所定の相対位置に位置させた状態で上記レンズを上記レンズ保持枠に固定させることを特徴とするレンズ鏡筒装置を提案することができる。
【０１１２】
【発明の効果】
以上、説明した本発明のレンズ鏡筒装置の組み立て方法、および、上記レンズ鏡筒装置によれば、鏡筒内のレンズがレンズ保持枠に対してレンズ保持枠の形状のばらつき等の精度に左右されることなく、正確な位置に精度よく固定することができる。
【図面の簡単な説明】
【図１】本発明の第一の実施形態のレンズ鏡筒装置としてのレンズ鏡筒の分解斜視図。
【図２】上記第一の実施形態のレンズ鏡筒において、ガイド軸位置決め用の第一の組み立て治具によりガイド軸およびフォーカス保持枠を支持した状態を示す斜視図。
【図３】上記第一の実施形態のレンズ鏡筒の組み立てに適用されるレンズ・保持枠位置決め用の第二の組み立て治具の斜視図。
【図４】上記第一の実施形態のレンズ鏡筒の組み立てに適用されるレンズ・保持枠位置決め用の第三の組み立て治具の斜視図。
【図５】上記第一の実施形態のレンズ鏡筒にて第二，第三の組み立て治具を用いた上記レンズ鏡筒の組み立て状態での縦断面図。
【図６】上記第一の実施形態のレンズ鏡筒におけるレンズ群とレンズ保持枠の接着部分の断面形状を示す拡大断面図であって、図６（Ａ）がレンズ群よりもレンズ保持枠の方が突出している場合を示し、図６（Ｂ）がレンズ保持枠よりもレンズ群の方が突出している場合を示し、図６（Ｃ）がレンズ保持枠とレンズ群が略同一面にある場合を示している。
【図７】上記第一の実施形態のレンズ鏡筒の組み立て後の縦断面図。
【図８】図７のＡ−Ａ断面図（部分断面図）。
【図９】上記第一の実施形態のレンズ鏡筒に適用されるカムリングのカム溝の展開図。
【図１０】本発明の第二の実施形態のレンズ鏡筒装置としてのレンズ鏡筒と組み立て治具の分解斜視図。
【図１１】上記第二の実施形態のレンズ鏡筒の組み立て治具による組み立て状態での上記レンズ鏡筒の縦断面図。
【図１２】上記第二の実施形態のレンズ鏡筒の組み立て後の縦断面図。
【符号の説明】
２１，５２
……１群レンズ（光学素子，レンズ）
２２……２群レンズ（前）（光学素子，レンズ）
２４……２群レンズ（後）（光学素子，レンズ）
２５……３群レンズ（前）（光学素子，レンズ）
５３……２群レンズ（光学素子，レンズ）
４……１群枠（レンズ保持枠）
５……フォーカス枠（レンズ保持枠）
７……３群枠（レンズ保持枠）
５１……レンズ保持枠
３２……第二の組み立て治具（治具）
３３……第三の組み立て治具（治具）
５４……組み立て治具（治具）
【図１】
0004757973.tif 000002
【図２】
0004757973.tif 000003
【図３】
0004757973.tif 000004
【図４】
0004757973.tif 000005
【図５】
0004757973.tif 000006
【図６】
0004757973.tif 000007
【図７】
0004757973.tif 000008
【図８】
0004757973.tif 000009
【図９】
0004757973.tif 000010
【図１０】
0004757973.tif 000011
【図１１】
0004757973.tif 000012
【図１２】
0004757973.tif 000013